(57)【要約】【課題】高倍率でありながらコンパクトなズームレンズ鏡筒を提供する。【解決手段】複数のレンズ群を有すズームレンズ鏡筒１は、縦溝筒１８と、縦溝筒１８の内側に順次、直進筒２４、フォーカスカム筒２６、及びカム筒２８が配置され、縦溝筒１８の外側に順次、第１レンズ群Ａが取り付けられた第１群摺動筒２０及び外筒２２が配置されている。【選択図】図１
2015040971.tif 000002
【特許請求の範囲】
【請求項１】
複数のレンズ群を有すズームレンズ鏡筒であって、
固定筒と、該固定筒の内側に順次、直進筒、フォーカスカム筒、及びカム筒を配置し、該固定筒の外側に順次、第１レンズ群が取り付けられた第１群摺動筒及び外筒を配置したことを特徴とするズームレンズ鏡筒。
【請求項２】
複数のレンズ群を有すズームレンズ鏡筒であって、
固定筒と、該固定筒の内側に順次、直進筒、フォーカスカム筒、及びカム筒を配置し、該固定筒の外側に順次、第１レンズ群が取り付けられた第１群摺動筒及び外筒を配置したズームレンズ鏡筒であって、
前記外筒と前記カム筒とは、カム筒連動コマを介して接続されており、連動して前記固定筒に対して回転可能であるとともに、光軸方向に移動可能であり、
前記直進筒は、前記固定筒に対して周方向の回転が拘束されるとともに、前記カム筒と連動して光軸方向に移動可能であり、
前記第１群摺動筒は、前記直進筒に対して周方向の回転が拘束されるとともに、光軸方向に移動可能であり、
前記カム筒連動コマは前記固定筒に形成されたカム筒カム溝に係合し、これにより、前記固定筒に対して前記外筒が回転すると、前記外筒及び前記カム筒は前記固定筒に対して回転しながら光軸方向に移動し、かつ、前記直進筒は前記カム筒に連動して前記光軸方向に移動し、
前記第１群摺動筒に植設された第１群摺動筒コマが、前記外筒に形成された第１群摺動筒カム溝に係合し、これにより前記外筒が前記第１群摺動筒に対して回転すると、前記第１群摺動筒が前記外筒に対して光軸方向に移動して、前記第１レンズ群が光軸方向に移動する、
ことを特徴とするズームレンズ鏡筒。
【請求項３】
前記カム筒の内側に配置され、外周に第２群摺動枠コマを備えた第２群摺動枠を備え、
前記第２群摺動枠は、前記カム筒に対して回転が拘束されるとともに、前記カム筒に対して光軸方向に移動可能であり、
前記第２群摺動枠コマは、前記直進筒に形成された第２群摺動枠カム溝に係合し、これにより前記直進筒に対して前記カム筒が回転すると、前記第２群摺動枠が光軸方向に移動し、
前記第２群摺動枠の光軸方向移動が、前記フォーカスカム筒を介して第２レンズ群を保持する第２レンズ群枠に伝達され、前記第２レンズ群が光軸方向に移動する、
請求項２に記載されたズームレンズ鏡筒。
【請求項４】
前記直進筒には、第２レンズ群カム溝が形成され、前記フォーカスカム筒には、第２群挿通溝が形成され、前記第２レンズ群枠の外周に植設された第２群枠コマが、前記第２レンズ群カム溝及び第２群挿通溝と係合することにより、前記フォーカスカム筒が回転すると、前記第２レンズ群が光軸方向にフォーカス移動する、
請求項３に記載されたズームレンズ鏡筒。
【請求項５】
前記カム筒の内側に配置されたレンズ群枠ガイド部材を備え、
前記レンズ群枠ガイド部材は、前記直進筒と直進筒ガイドコマを介して接続されており、前記直進筒に対して回転が拘束されているとともに、前記直進筒と連動して光軸方向に移動可能であり、
第３乃至第５レンズ群を保持する第３乃至第５レンズ群枠は、前記カム筒に配置され、
第４レンズ群枠は前記レンズ群枠ガイド部材に固定され、前記直進筒が前記カム筒に連動して前記光軸方向に移動することにより、前記第４レンズ群が光軸方向に移動する、
請求項２乃至４に記載されたズームレンズ鏡筒。
【請求項６】
前記カム筒には、第３群カム溝及び第５群カム溝が形成されており、
前記第３レンズ群枠及び第５レンズ群枠は、前記レンズ群枠ガイド部材に対して回転が拘束されているとともに、前記レンズ群枠ガイド部材に対して光軸方向に移動可能であり、
前記第３レンズ群枠の外周に植設された第３群枠コマが前記カム筒に形成された第３群カム溝に係合し、これにより前記カム筒が回転すると前記第３レンズ群が光軸方向に移動し、
前記第５レンズ群枠の外周に植設された第５群枠コマが前記カム筒に形成された第５群カム溝に係合し、これにより前記カム筒が回転すると前記第５レンズ群が光軸方向に移動する、
請求項５に記載されたズームレンズ鏡筒。
【発明の詳細な説明】
【技術分野】
【０００１】
本発明はズームレンズ鏡筒に関し、特に一眼レフ用のズームレンズ鏡筒に関する。
【背景技術】
【０００２】
高倍率ズームレンズ鏡筒には、よりズーム倍率を大きくすることが望まれている。ズーム倍率を大きくするためには、レンズの繰り出し量を大きくする必要がある。レンズの繰り出し量を大きくするためには、レンズを繰り出すための筒を複数段重ねることが考えられる。
【０００３】
このようにレンズを繰り出すための筒を複数段重ねたズーム鏡筒として、例えば、特許文献１には、固定筒と、固定筒の内側にフォーカスカム筒、直進筒、及び第１カム筒を配置し、固定筒の外側にズーム連動リング、第２カム筒、外筒、及び第１レンズ群摺動筒を配置したズームレンズ鏡筒が開示されている。
【先行技術文献】
【特許文献】
【０００４】
【特許文献１】特開２０１０−４４１０２号公報
【発明の概要】
【発明が解決しようとする課題】
【０００５】
ここで、近年、高倍率ズームレンズ鏡筒には、ズーム倍率を高倍率に保ちながら、携帯性を向上するためにコンパクト化することが求められている。しかしながら、上記のようにレンズを繰り出すための筒を複数段重ねると、鏡筒の径が大きくなってしまい、コンパクト化という課題を達成することができない。
【０００６】
本発明は、上記の課題に鑑みなされたものであり、その目的は、高倍率でありながらコンパクトなズームレンズ鏡筒を提供することである。
【課題を解決するための手段】
【０００７】
本発明のズームレンズ鏡筒は、複数のレンズ群を有すズームレンズ鏡筒であって、固定筒と、固定筒の内側に順次、直進筒、フォーカスカム筒、及びカム筒を配置し、固定筒の外側に順次、第１レンズ群が取り付けられた第１群摺動筒及び外筒を配置したことを特徴とする。
【０００８】
また、本発明のズームレンズ鏡筒は、複数のレンズ群を有すズームレンズ鏡筒であって、固定筒と、固定筒の内側に順次、直進筒、フォーカスカム筒、及びカム筒を配置し、固定筒の外側に順次、第１レンズ群が取り付けられた第１群摺動筒及び外筒を配置したズームレンズ鏡筒であって、外筒とカム筒とは、カム筒連動コマを介して接続されており、連動して固定筒に対して回転可能であるとともに、光軸方向に移動可能であり、直進筒は、固定筒に対して周方向の回転が拘束されるとともに、カム筒と連動して光軸方向に移動可能であり、第１群摺動筒は、直進筒に対して周方向の回転が拘束されるとともに、光軸方向に移動可能であり、カム筒連動コマは固定筒に形成されたカム筒カム溝に係合し、これにより、固定筒に対して外筒が回転すると、外筒及びカム筒は固定筒に対して回転しながら光軸方向に移動し、かつ、直進筒はカム筒に連動して光軸方向に移動し、第１群摺動筒に植設された第１群摺動筒コマが、外筒に形成された第１群摺動筒カム溝に係合し、これにより外筒が第１群摺動筒に対して回転すると、第１群摺動筒が外筒に対して光軸方向に移動して、第１レンズ群が光軸方向に移動する、ことを特徴とする。
【０００９】
本発明において、好ましくは、カム筒の内側に配置され、外周に第２群摺動枠コマを備えた第２群摺動枠を備え、第２群摺動枠は、カム筒に対して回転が拘束されるとともに、カム筒に対して光軸方向に移動可能であり、第２群摺動枠コマは、直進筒に形成された第２群摺動枠カム溝に係合し、これにより直進筒に対してカム筒が回転すると、第２群摺動枠が光軸方向に移動し、第２群摺動枠の光軸方向移動が、フォーカスカム筒を介して第２レンズ群を保持する第２レンズ群枠に伝達され、第２レンズ群が光軸方向に移動する。
【００１０】
本発明において、好ましくは、直進筒には、第２レンズ群カム溝が形成され、フォーカスカム筒には、第２群挿通溝が形成され、第２レンズ群枠の外周に植設された第２群枠コマが、第２レンズ群カム溝及び第２群挿通溝と係合することにより、フォーカスカム筒が回転すると、第２レンズ群が光軸方向にフォーカス移動する。
【００１１】
本発明において、好ましくは、カム筒の内側に配置されたレンズ群枠ガイド部材を備え、レンズ群枠ガイド部材は、直進筒と直進筒ガイドコマを介して接続されており、直進筒に対して回転が拘束されているとともに、直進筒と連動して光軸方向に移動可能であり、第３乃至第５レンズ群を保持する第３乃至第５レンズ群枠は、カム筒に配置され、第４レンズ群枠はレンズ群枠ガイド部材に固定され、直進筒がカム筒に連動して光軸方向に移動することにより、第４レンズ群が光軸方向に移動する。
【００１２】
本発明において、好ましくは、カム筒には、第３群カム溝及び第５群カム溝が形成されており、第３レンズ群枠及び第５レンズ群枠は、レンズ群枠ガイド部材に対して回転が拘束されているとともに、レンズ群枠ガイド部材に対して光軸方向に移動可能であり、第３レンズ群枠の外周に植設された第３群枠コマがカム筒に形成された第３群カム溝に係合し、これによりカム筒が回転すると第３レンズ群が光軸方向に移動し、第５レンズ群枠の外周に植設された第５群枠コマがカム筒に形成された第５群カム溝に係合し、これによりカム筒が回転すると第５レンズ群が光軸方向に移動する。
【００１３】
本発明によれば、一つのカム筒でレンズの繰り出しを行うことができる。さらに、従来用いられていたズーム連動リングを用いることなく、レンズの繰り出しを行うことができる。これにより、レンズを繰り出すための筒を減らすことができ、高倍率でありながらコンパクトな鏡筒を実現できる。
【発明の効果】
【００１４】
本発明によれば、高倍率でありながらコンパクトなズームレンズ鏡筒を提供することができる。
【図面の簡単な説明】
【００１５】
【図１】本発明の一実施形態のズームレンズ鏡筒の光軸を通る面の広角時における断面図である。
【図２】本発明の一実施形態のズームレンズ鏡筒の光軸を通る面の望遠時における断面図である。
【図３】図１及び図２に示すズームレンズ鏡筒の外筒の展開図である。
【図４】図１及び図２に示すズームレンズ鏡筒の縦溝筒の展開図である。
【図５】図１及び図２に示すズームレンズ鏡筒の直進筒の展開図である。
【図６】図１及び図２に示すズームレンズ鏡筒のフォーカスカム筒の展開図である。
【図７】図１及び図２に示すズームレンズ鏡筒のカム筒の展開図である。
【発明を実施するための形態】
【００１６】
以下、本発明のズームレンズ鏡筒の一実施形態を図面を参照しながら説明する。本実施形態では、焦点距離２８〜３００ｍｍ、Ｆ値３．５〜６．３のオートフォーカス機構及び手振れ補正機構を備えた５レンズ群構成のズームレンズ鏡筒について説明する。
【００１７】
（構成）
図１及び図２は、それぞれ、本発明の一実施形態のズームレンズ鏡筒の光軸を通る面の断面図であり、それぞれ、広角時及び望遠時における断面を示す。
インナーフォーカスズームレンズ１は、図１及び図２に示すように、光軸Ｏ上に配置された第１レンズ群Ａ、フォーカスレンズ群である第２レンズ群Ｂ、第３レンズ群Ｃ、第４レンズ群Ｄ、及び第５レンズ群Ｅを有する。また、第４レンズ群Ｄは手振れ補正用の補正レンズ群を構成している。各レンズ群におけるレンズはほぼ等しい径を有し、第１レンズ群Ａから第５レンズ群Ｅに進むに従って小径なレンズが用いられている。第１〜５レンズ群Ａ、Ｂ、Ｃ、Ｄ、Ｅは、それぞれ、円環状に形成された第１〜５レンズ群枠２、３、４、５、６に保持されている。
【００１８】
ズームレンズ鏡筒１は、マウント８から順に、第１基部筒１０、第２基部筒１２が固着連結されている。第２基部筒１２の結像側の端部の外周には、フォーカスリング１４が回転可能に取り付けられている。また、第２基部筒１２の対物側の端部には、ズームリング１６が回転可能に取り付けられている。また、第１基部筒１２の半径方向中心側には、第２基部筒１２内に収容されるように、縦溝筒１８が固着されている。なお、この縦溝筒１８が、本発明の固定筒に相当する。
【００１９】
縦溝筒１８の半径方向外側には、第１群摺動筒２０が配置されている。第１群摺動筒２０の対物側先端部には、第１レンズ群枠２が取り付けられており、第１レンズ群枠２により第１レンズ群Ａが保持されている。第１群摺動筒２０の半径方向外側、かつ、ズームリング１６の半径方向内側には、外筒２２が配置されている。
【００２０】
縦溝筒１８の半径方向内側には、直進筒２４が配置されている。直進筒２４の内側には、フォーカスカム筒２６が配置されている。また、フォーカスカム筒２６の内側には、カム筒２８が配置されている。さらに、カム筒２８の結像側の内側には、レンズ群枠ガイド部材２９が配置されている。第２〜第５レンズ群枠３〜６はカム筒２８内に配置されており、第４レンズ群枠５はレンズ群枠ガイド部材２９に固定されている。また、第２群レンズ群枠３の結像側には、第２群摺動枠２７が配置されている。
【００２１】
第３レンズ群枠４には、第３レンズ群Ｃの被写体側前方に絞り機構３２が設けられている。
【００２２】
また、第１基部筒１０内の結像側の空間には、光軸を中心として回転可能なフォーカシングリングと、フォーカシングリングを回転させる、例えば、超音波モータからなる合焦用モータとが配置されている。これらフォーカシングリング及び合焦用モータは、例えば、赤外線などを利用した被写体までの距離を測定する測距手段と、合焦用モータにフォーカシングリングの回転角度に応じた制御信号を送る制御手段と、ともにオートフォーカス機構を構成する。制御手段は、測距手段により測定された被写体までの距離に基づき、合焦に必要な第２レンズ群Ｃの移動距離に応じたフォーカシングリングの回転角を算出する。
【００２３】
フォーカシングリングは、フォーカス連動レバー３０が接続されている。このフォーカス連動レバー３０は縦溝筒１８の結像側に形成された開口１８Ａを挿通し、縦溝筒１８の内側に光軸方向に延びている。フォーカス連動レバー３０の先端には、フォーカス連動コマ７６が取り付けられている。
【００２４】
また、マニュアルフォーカスを行うため、フォーカスリング１４の回転はフォーカシングリングに伝達可能となっている。
【００２５】
第４レンズ群Ｄを保持する第４レンズ群枠５には手振れ補正機構が組み込まれており、この手振れ補正機構はジャイロ（図示せず）によりズームレンズ鏡筒１の加速度を検出し、検出した加速度に応じて第４レンズ群Ｄを光軸に対して垂直な平面内で並進及び回動移動させる。
【００２６】
図３〜図７は、それぞれ、外筒２２、縦溝筒１８、直進筒２４、フォーカスカム筒２６、及びカム筒２８の展開図であり、各図において、上側が被写体側、下側が結像側である。また、図中、右方向が結像側から被写体側に向かって時計周り方向、左方向が反時計方向を示す。
【００２７】
図１及び２に示すように、ズームリング１６には内面側表面に光軸方向に延びる外筒ガイド溝４０が形成されている。
【００２８】
図３に示すように、外筒２２には、第１群摺動筒カム溝３４と、ズーム連動コマ３６と、カム筒連動コマ４４Ａと、短尺コマ４４Ｂとが形成されている。第１群摺動筒カム溝３４は、外筒２２の内面側に形成されており、光軸方向に対して周方向に傾斜している。第１群摺動筒カム溝３４内には、第１群摺動筒２０の結像側端部の外周に植設された第１群摺動筒コマ４２が係合している。
【００２９】
ズーム連動コマ３６は、外筒２２の外面側に植設されており、ズームリング１６の外筒ガイド溝４０内に収容されている。これにより、外筒２２はズームリング１６に対して光軸方向に移動可能であるとともに、ズームリング１６が回転した際には、ズームリング１６の回転が外筒２２に伝達される。
【００３０】
カム筒連動コマ４４Ａは、外筒２２の内周面に植設され、直進筒２４のカム筒ガイド溝５８と、縦溝筒１８のカム筒カム溝４８を挿通し、先端がカム筒２２の外周面に固着されている。短尺コマ４４Ｂは、外筒２２の内周面に植設され、直進筒２４のカム筒ガイド溝５８と、縦溝筒１８のカム筒カム溝４８を挿通している。短尺コマ４４Ｂは、フォーカスカム筒２６の突出部２６Ｂとの干渉を避けるため、カム筒連動コマ４４Ｂよりも短く形成されている。本実施形態では、外筒２２は、カム筒連動コマ４４Ａを１本、短尺コマ４４Ｂを２本備えている。
【００３１】
図４に示すように、縦溝筒１８には、直進筒ガイド溝４６と、カム筒カム溝４８とが形成されている。直進筒ガイド溝４６は、縦溝筒１８の内周面に光軸方向に延びるように形成されている。直進筒ガイド溝４６には、直進筒２４の外周面に植設された直進筒ガイドコマ５０が係合している。
【００３２】
カム筒カム溝４８は、縦溝筒１８を表裏貫通し、光軸方向に対して周方向に傾斜している。カム筒カム溝４８には、カム筒２８の外周面に植設されたカム筒連動コマ４４Ａ及び短尺コマ４４Ｂが挿通している。
【００３３】
図５に示すように、直進筒２４には、第１群直進ガイドコマ５２と、第２群摺動枠カム溝５４と、第２群カム溝５６と、カム筒ガイド溝５８と、直進筒ガイドコマ５０と、第４群コマ６０とが形成されている。
【００３４】
第１群直進ガイドコマ５２は、直進筒２４の被写体側先端部の外周に立設されており、第１群摺動筒２０の内周面に形成された光軸方向に延びる第１群直進ガイド溝６２に係合している。これにより、第１群摺動筒２０は、直進筒２４に対して光軸方向に移動可能であるとともに、周方向の回転が拘束される。
【００３５】
第２群摺動枠カム溝５４は、直進筒２４の内周面に形成され、光軸方向に対して周方向に傾斜している。第２群摺動枠カム溝５４には、第２群摺動枠２７の外周に立設された第２群摺動枠コマ６４が係合している。
【００３６】
第２群カム溝５６は、直進筒２４の内周面の第２群摺動枠カム溝５４に対して被写体側の部分に形成され、第２群摺動枠カム溝５４と異なる角度で光軸方向に対して周方向に傾斜している。第２群カム溝５６には、第２レンズ群枠３の外周に立設された第２群枠コマ６６が係合している。
【００３７】
カム筒ガイド溝５８は、直進筒２４を表裏貫通し、結像側端部に周方向に延びるように形成されている。カム筒ガイド溝５８には、カム筒２８の外周面に植設されたカム筒連動コマ４４Ａ及び短尺コマ４４Ｂが挿通している。
【００３８】
直進筒ガイドコマ５０は、直進筒２４の結像側端部の外周面に植設されており、縦溝筒１８の直進筒ガイド溝４６に係合している。これにより、直進筒２４は縦溝筒１８に対して、光軸方向に移動可能であるとともに、周方向の回転が拘束される。なお、上述の通り、第１群摺動筒２０は、直進筒２４に対して光軸方向に移動可能であるとともに、周方向の回転が拘束されているため、第１群摺動筒２０は、縦溝筒１８に対して、光軸方向に移動可能であるとともに、周方向の回転が拘束される。
【００３９】
第４群コマ６０は、直進筒２４の結像側端部の内周面に植設されている。第４群コマ６０は、カム筒２８に形成された第４群ガイド溝６８を挿通し、先端がレンズ群枠ガイド部材２９に固定されている。このため、直進筒２４とレンズ群枠ガイド部材２９とは固定されている。
【００４０】
図６に示すように、フォーカスカム筒２６は、円筒状に形成された円筒部２６Ａと、円筒部２６Ａから結像側に延びる突出部２６Ｂとを備え、第２群摺動枠ガイド溝７０と、第２群挿通溝７２と、フォーカス連動コマガイド溝７４とが形成されている。
【００４１】
第２群摺動枠ガイド溝７０は、フォーカスカム筒２６の円筒部２６Ａの結像側の部分を表裏貫通し、概ね周方向に延びており、一端が結像側に傾斜している。第２群摺動枠ガイド溝７０には、第２群摺動枠２７の外周に立設された第２群摺動枠コマ６４が挿通している。
【００４２】
第２群挿通溝７２は、フォーカスカム筒２６の円筒部２６Ａの被写体側の部分において表裏貫通し、概ね周方向に延びており、一端が被写体側に傾斜している。第２群挿通溝７２には、第２レンズ群枠３の外周に立設された第２群枠コマ６６が挿通している。
【００４３】
フォーカス連動コマガイド溝７４は、突出部２６Ｂの外周面に光軸方向に延びるように形成されている。フォーカス連動コマガイド溝７４には、フォーカス連動レバー３０の先端に取り付けられたフォーカス連動コマ７６が係合している。
【００４４】
図７に示すように、カム筒２８は、円筒状の円筒部２８Ａと、円筒部２８Ａの被写体側端部から光軸方向に延びる突出部２８Ｂとを備える。また、カム筒２８には、第２群ガイド溝７８と、第３群カム溝８０と、第４群ガイド溝６８と、第５群カム溝８２とが形成されている。
【００４５】
第２群摺動枠ガイド溝７８は、カム筒２８の突出部２８Ｂに表裏貫通し、光軸方向に延びている。第２群摺動枠ガイド溝７８には、第２群摺動枠２７の外周に立設された第２群摺動枠コマ６４が挿通している。
【００４６】
第３群カム溝８０は、カム筒２８の円筒部２８Ａの内周面に形成され、中間部が被写体側に突出するように周方向に湾曲して延びている。第３群カム溝８０には、第３群枠コマ８４が係合している。
【００４７】
カム筒２８の外周面には、外筒２２の内周面に植設され、直進筒２４のカム筒ガイド溝５８と、縦溝筒１８のカム筒カム溝４８を挿通したカム筒連動コマ４４Ａの先端が固着されている。
【００４８】
第４群ガイド溝６８は、円筒部２８Ａの光軸方向中央において、表裏貫通し、周方向に延びている。第４群ガイド溝６８には、レンズ群枠ガイド部材２９の外周に植設された第４群コマ６０が挿通している。この第４群コマ６０の先端は、直進筒２４に固着されている。
【００４９】
第５群カム溝８２は、円筒部２８Ａの結像側の内周面に形成され、光軸方向に対して周方向に傾斜している。第５群カム溝８２には、第５レンズ群枠６の外周面に植設された第５群枠コマ８６が係合している。
【００５０】
なお、図１に示すように、第２レンズ群枠３の外周に植設された第２群枠コマ６６は突出部２８Ｂの間の隙間に位置しており、カム筒２８と干渉することはない。
【００５１】
図１に示すように、レンズ群枠ガイド部材２９の被写体側の部分には、表裏貫通し、光軸方向に延びる第３群ガイド溝８８が形成されている。第３群ガイド溝８８には、第３レンズ群枠４の外周面に植設された第３群枠コマ８４が挿通している。なお、第３群枠コマ８４の先端は、カム筒２８の第３群カム溝８０に係合している。
【００５２】
また、レンズ群枠ガイド部材２９の結像側の部分には、表裏貫通し、光軸方向に延びる第５群ガイド溝９０が形成されている。第５群ガイド溝９０には、第５群枠コマ８６が挿通している。なお、第５群枠コマ８６の先端は、カム筒２８の第５群カム溝８２に係合している。
【００５３】
（ズーム作動）
ズームリング１６をカメラ本体に固定された縦溝筒１８に対して回転させると、ズームリング１６の回転は、ズーム連動コマ３６を介して外筒２２に伝達される。さらに、外筒２２に形成されたカム筒連動コマ４４Ａの先端が、カム筒２８に固着されているため、外筒２２に伝達された回転はカム筒２８に伝達されて、カム筒２８は外筒２２とともに回転する。なお、上述の通り、直進筒２４及び第１群摺動筒２０は、縦溝筒１８に対して周方向の回転が拘束されているおり、ズームリング１６が回転されても、回転することはない。
【００５４】
−第１レンズ群−
カム筒連動コマ４４Ａ及び短尺コマ４４Ｂは縦溝筒１８に形成されたカム筒カム溝４８を挿通している。このため、外筒２２及びカム筒２８が縦溝筒１８に対して回転すると、カム筒連動コマ４４Ａ及び４４Ｂがカム筒カム溝４８に沿って移動することにより、外筒２２及びカム筒２８は回転しながら被写体側へ繰り出される。また、カム筒連動コマ４４Ａ及び短尺コマ４４Ｂは直進筒２４に周方向に延びるように形成されたカム筒ガイド溝５８を挿通している。このため、直進筒２４は、回転することなく、外筒２２及びカム筒２８とともに被写体側へ繰り出される。
【００５５】
上述の通り、第１群摺動筒２０は、縦溝筒１８に対して周方向の回転が拘束される。そして、外筒２２の第１群摺動筒カム溝３４内に、第１群摺動筒２０の第１群摺動筒コマ４２が係合している。これにより、縦溝筒１８に対して外筒２２が回転すると、第１群摺動筒コマ４２が第１群摺動筒カム溝３４を移動し、第１群摺動筒２０が被写体側へ繰り出される。このようにして、第１レンズ群Ａが被写体側に繰り出される。
【００５６】
−第２レンズ群−
上述のように、外筒２２は回転すると、カム筒２８は外筒２２とともに回転しながら被写体側へ繰り出される。
また、第２群摺動枠２７の外周に設けられた第２群摺動枠コマ６４は、カム筒２８に形成された第２群摺動枠ガイド溝７８を挿通している。このため、カム筒２８が回転すると、第２群摺動枠２７もカム筒２８とともに回転する。さらに、第２群摺動枠コマ６４は、回転が拘束されている直進筒２４の第２群摺動枠カム溝５４を挿通している。このため、第２群摺動枠２７が回転すると、第２群摺動枠カム溝５４が第２群摺動枠カム溝５４に沿って移動し、第２群摺動枠２７はカム筒２８に対して結像側に移動される。
【００５７】
また、第２群摺動枠２７の第２群摺動枠コマ６４は、フォーカスカム筒２６に周方向に延びるように形成された第２群摺動枠ガイド溝７０を挿通している。このため、第２群摺動枠２７が光軸方向に移動すると、フォーカスカム筒２６も光軸方向に移動する。
【００５８】
さらに、第２レンズ群枠３に植設された第２群枠コマ６６は、フォーカスカム筒２６の周方向に延びる第２群挿通溝７２を挿通している。これにより、フォーカスカム筒２６の移動とともに、第２レンズ群Ｂもカム筒２８に対して結像側に移動される。
【００５９】
−第４レンズ群−
直進筒２４の外周面に植設された第４群コマ６０は、カム筒２８に周方向に延びるように形成された第４群ガイド溝６８を挿通して、先端がレンズ群枠ガイド部材２９に固定されている。このため、ズームリング１６を回転させると、レンズ群枠ガイド部材２９は直進筒２４とともに回転することなく被写体側へと繰り出される。第４レンズ群枠５はレンズ群枠ガイド部材２９内に固定されているため、第４レンズ群Ｄは、レンズ群枠ガイド部材２９とともに被写体側へ繰り出される。
【００６０】
−第３レンズ群−
第３レンズ群枠４の外周に植設された第３群枠コマ８４は、レンズ群枠ガイド部材２９に形成された光軸方向に延びる第３群ガイド溝８８を挿通している。また、レンズ群枠ガイド部材２９は直進筒２４と一体であるため、ズームリング１６が回転しても、レンズ群枠ガイド部材２９が回転することはない。このため、第３レンズ群枠４も、ズームリング１６が回転しても、回転することはない。
【００６１】
また、第３群枠コマ８４は、カム筒２８に形成された第３群カム溝８０と係合している。そして、ズームリング１６が回転すると、カム筒２８はレンズ群枠ガイド部材２９に対して回転し、第３群枠コマ８４は第３群カム溝８０に沿って移動する。これにより、第３レンズ群Ｃは光軸方向に移動する。
【００６２】
−第５レンズ群−
第５レンズ群枠６の外周に植設された第５群枠コマ８６は、レンズ群枠ガイド部材２９に形成された光軸方向に延びる第５群ガイド溝９０を挿通している。また、レンズ群枠ガイド部材２９は直進筒２４と一体であるため、ズームリング１６が回転しても、レンズ群枠ガイド部材２９が回転することはない。このため、第５レンズ群枠６も、ズームリング１６が回転しても、回転することはない。
【００６３】
また、第５群枠コマ８６は、カム筒２８に形成された第５群カム溝８２と係合している。そして、ズームリング１６が回転すると、カム筒２８はレンズ群枠ガイド部材２９に対して回転し、第５群枠コマ８６は第５群カム溝８２に沿って移動する。これにより、第５レンズ群Ｅは光軸方向に移動する。
以上のようにして、ズームリング１６を回転させると、第１〜第５レンズ群Ａ〜Ｅが別個独立に光軸方向に移動し、ズームが行われる。
【００６４】
（フォーカス作動）
オートフォーカス機構を構成する合焦用モータに制御手段から被写体までの距離に応じた制御信号が入力されると、合焦用モータは被写体までの距離に応じた角度だけ、フォーカシングリングを回転させる。フォーカシングリングが回転すると、これとともにフォーカシングリングに固定されたフォーカス連動レバー３０が光軸を中心として回転する。
【００６５】
また、フォーカス連動レバー３０の先端に取り付けられたフォーカス連動コマ７６は、フォーカスカム筒２６に形成された光軸方向に延びるフォーカス連動コマガイド溝７４に係合している。これにより、フォーカシングリングが回転すると、フォーカスカム筒２６が回転する。
【００６６】
第２群摺動枠コマ６４は、所定のズーム状態で固定されている。このため、フォーカシングリングが回転すると、第２群摺動枠コマ６４が第２群摺動枠ガイド溝７０内を移動しながら、フォーカスカム筒２６が回転する。
【００６７】
また、第２レンズ群枠３の外周に植設された第２群枠コマ６６は、フォーカスカム筒２６に形成された第２群挿通溝７２を挿通し、さらに、カム筒２８に形成された第２群カム溝５６に係合している。このため、フォーカスカム筒２６が回転すると、第２群枠コマ６６は、第２群カム溝５６に沿って移動し、光軸方向に移動することとなる。これにより、フォーカス作動が行われる。
【００６８】
従来はレンズの繰り出し操作のために２つのカム筒を用いていたが、本実施形態によれば、一つのカム筒でレンズの繰り出しを行うことができる。さらに、本実施形態によれば、従来用いられていたズーム連動リングを用いることなく、レンズの繰り出しを行うことができる。これにより、レンズを繰り出すための筒を減らすことができ、高倍率でありながらコンパクトな鏡筒を実現できる。
【符号の説明】
【００６９】
１  ズームレンズ鏡筒
２  第１レンズ群枠
３  第２レンズ群枠
４  第３レンズ群枠
５  第４レンズ群枠
６  第５レンズ群枠
８  マウント
１０  第１基部筒
１２  第２基部筒
１４  フォーカスリング
１６  ズームリング
１８  縦溝筒
１８Ａ  開口
２０  第１群摺動筒
２２  外筒
２４  直進筒
２６  フォーカスカム筒
２７  第２群摺動筒
２８  カム筒
２９  レンズ群枠ガイド部材
３０  フォーカス連動レバー
３２  絞り機構
３４  第１群摺動筒カム溝
３６  ズーム連動コマ
４０  外筒ガイド溝
４２  第１群摺動筒コマ
４４Ａ  カム筒連動コマ
４４Ｂ  短尺コマ
４６  直進筒ガイド溝
４８  カム筒カム溝
５０  直進筒ガイドコマ
５２  第１群直進ガイドコマ
５４  第２群摺動枠カム溝
５６  第２群カム溝
５８  カム筒ガイド溝
６０  第４群コマ
６２  第１群直進ガイド溝
６４  第２群摺動枠コマ
６６  第２群枠コマ
６８  第４群ガイド溝
７０  第２群摺動枠ガイド溝
７２  第２群挿通溝
７４  フォーカス連動コマガイド溝
７６  フォーカス連動コマ
７８  第２群摺動枠ガイド溝
８０  第３群カム溝
８２  第５群カム溝
８４  第３群枠コマ
８６  第５群枠コマ
８８  第３群ガイド溝
９０  第５群ガイド溝
【図１】
2015040971.tif 000003
【図２】
2015040971.tif 000004
【図３】
2015040971.tif 000005
【図４】
2015040971.tif 000006
【図５】
2015040971.tif 000007
【図６】
2015040971.tif 000008
【図７】
2015040971.tif 000009